(57)【要約】【課題】ＨＤＤユニットをＨＤＤホルダに取り付けるときのダンパーの位置決めを、ダンパーに特殊な加工を施すことなく確実に行うことができ、かつ、正確な位置決めによって締め付け時にダンパーに無理な負荷がかかることを防止する。【解決手段】ＨＤＤホルダ７０の全体が樹脂部材にて形成されているとともに、ＨＤＤユニット４０をダンパー６１ｂを介して載置固定する載置板７１を備えており、この載置板７１のダンパー６１ｂの取り付け位置に、該ダンパー６１ｂの外形に合わせた位置決め用リブ７７が載置板７１と一体形成されている。ダンパー６１ｂは、円筒形状に形成されるとともにネジ部材６２に挿着され、位置決め用リブ７７は、ネジ部材６２をねじ込むために載置板７１に形成されたネジ穴の周囲に、ダンパー６１ｂの外形に合わせて環状に形成されている。【選択図】図１
2008171468.tif 000002
【特許請求の範囲】
【請求項１】
ＨＤＤユニットを本体シャーシに取り付けるためのＨＤＤホルダであって、
前記ＨＤＤホルダの全体が樹脂部材にて形成されているとともに、前記ＨＤＤユニットを緩衝部材を介して載置固定する載置板を備えており、この載置板の前記緩衝部材の取り付け位置に、該緩衝部材の外形に合わせた位置決め用リブが前記載置板と一体形成されており、
前記緩衝部材は、円筒形状に形成されるとともに、前記ＨＤＤユニットを前記載置板に固定するためのネジ部材に挿着され、前記位置決め用リブは、前記ネジ部材をねじ込むために前記載置板に形成されたネジ穴の周囲に、前記円筒形状の緩衝部材の外形に合わせて環状に形成されていることを特徴とするＨＤＤホルダ。
【請求項２】
ＨＤＤユニットを本体シャーシに取り付けるためのＨＤＤホルダであって、
前記ＨＤＤホルダの全体が樹脂部材にて形成されているとともに、前記ＨＤＤユニットを緩衝部材を介して載置固定する載置板を備えており、この載置板の前記緩衝部材の取り付け位置に該緩衝部材の外形に合わせた位置決め用リブが形成されていることを特徴とするＨＤＤホルダ。
【請求項３】
前記緩衝部材は、前記ＨＤＤユニットを前記載置板に固定するためのネジ部材に挿着されており、前記位置決め用リブは、前記ネジ部材をねじ込むために前記載置板に形成されたネジ穴の周囲に形成されていることを特徴とする請求項２に記載のＨＤＤホルダ。
【請求項４】
前記緩衝部材が円筒形状に形成されており、前記位置決め用リブは、前記円筒形状の緩衝部材の外形に合わせて環状に形成されていることを特徴とする請求項２または請求項３に記載のＨＤＤホルダ。
【請求項５】
前記位置決め用リブは、樹脂部材にて前記載置板と一体的に形成されていることを特徴とする請求項２または請求項３に記載のＨＤＤホルダ。
【発明の詳細な説明】
【技術分野】
【０００１】
本発明は、ＨＤＤユニットを本体シャーシに取り付けるためのＨＤＤホルダに関する。
【背景技術】
【０００２】
従来、ＨＤＤユニットとビデオカセットレコーダ（ＶＣＲ）ユニットとＤＶＤ(Digital Versatile Disk)ユニットとが本体シャーシ上に搭載された複合型の記録再生装置では、本体シャーシ上に、ＨＤＤユニットとＶＣＲユニットとＤＶＤユニットとが直接搭載されている。
【０００３】
図４は、ＨＤＤユニットとＤＶＤユニットとＶＣＲユニットとが本体シャーシ上に搭載された状態を示している。
【０００４】
すなわち、本体シャーシ１０の正面側には垂直に起立した正面パネル１１が配置されており、この正面パネル１１には、光ディスク（ＤＶＤ）を装填するためのディスク挿入口１２と、ビデオカセットを装填するためのカセット挿入口１３とが設けられている。そして、カセット挿入口１３に対峙する形で、チューナ部等２０ａを含むＶＣＲユニット２０が配置され、ディスク挿入口１２に対峙する形でＤＶＤユニット３０が配置され、このＤＶＤユニット３０の後ろ側にＨＤＤユニット４０が配置されている。すなわち、一番スペースを取るＶＣＲユニット２０の横に並んでＤＶＤユニット３０とＨＤＤユニット４０とが配置されている。
【０００５】
そして、ＨＤＤユニット４０は、図５（ａ），（ｂ）に示すように、板金加工によって形成されたＨＤＤホルダ５０に取り付けられ、このＨＤＤホルダ５０を本体シャーシ１０に取り付け固定する構造となっている。
【０００６】
ＨＤＤホルダ５０は、ＨＤＤユニット４０を載置固定する載置板５１を備えており、この載置板５１の前端部に形成された左右一対の脚片５２，５３をそれぞれ下方に垂下させ、その下端部をさらに前方に略９０度屈曲形成することによって、本体シャーシ１０に固定するための固定片５２ａ，５３ａが形成されている。また、載置板５１の後端部を垂直に起立させることによって、本体シャーシ１０の背面側に形成された背面板１４に固定するための背面側固定板５４が形成されている。
【０００７】
固定片５２ａ，５３ａ及び背面側固定板５４には、それぞれネジ挿通穴５５，５５，・・・が形成されており、これに対向する本体シャーシ１０の底面及び背面板１４には、それぞれネジ穴（図示省略）が形成されている。そして、固定片５２ａ，５３ａ及び背面側固定板５４に形成された各ネジ挿通穴５５，５５，・・・を介して、本体シャーシ１０の底面及び背面板１４に形成された各ネジ穴に図示しないネジ部材をねじ込むことによって、ＨＤＤホルダ５０を本体シャーシ１０に固定するようになっている。
【０００８】
一方、ＨＤＤユニット４０の前側下端部と後側下端部には、このＨＤＤユニット４０をＨＤＤホルダ５０の載置板５１に取り付けるための水平に延設された取付片４１，４１がそれぞれ形成されており、これら取付片４１，４１の左右２箇所（すなわち、合計４箇所）には、略Ｕ字状に切り欠き形成されたネジ嵌合溝部４３，４３，・・・が形成されている。また、これらネジ嵌合溝部４３，４３，・・・に対向する載置板５１の位置にはそれぞれネジ穴５６，５６，・・・が形成されている。
【０００９】
そして、図５（ｂ）に示すように、これらネジ穴５６，５６，・・・の上に円筒形状に形成されたゴム製の弾性部材（緩衝部材）からなる下側ダンパー６１ｂ，６１ｂ，・・・を配置し、これら下側ダンパー６１ｂ，６１ｂ，・・・の上にそれぞれネジ嵌合溝部４３，４３，・・・を合わせるようにしてＨＤＤユニット４０の取付片４１，４１を載置し、この上にさらに円筒形状に形成されたゴム製の弾性部材（緩衝部材）からなる上側ダンパー６１ａ，６１ａ，・・・を配置した状態で、上方からネジ穴５６，５６，・・・に対してネジ部材６２，６２，・・・をねじ込むことにより、上側ダンパー６１ａと下側ダンパー６１ｂとによって両取付板４１，４１のネジ嵌合溝部４３周辺を挟持固定する構造となっている。
【００１０】
ただし、実際の取り付けでは、図５（ａ）に示すように、ネジ部材６２に上側ダンパー６１ａと下側ダンパー６１ｂとを予め挿着しておき、この上下両ダンパー６１ａ，６１ｂの隙間に取付板４１のネジ嵌合溝部４３を差し込むようにして、ネジ部材６２をＨＤＤユニット４０の取付板４１に仮装着し、この状態で、ＨＤＤユニット４０をＨＤＤホルダ５０の載置板５１に対向配置して、各ネジ部材６２を対向する各ネジ穴５６にねじ込むことによって、ＨＤＤユニット４０をＨＤＤホルダ５０に取り付けている。
【００１１】
すなわち、ＨＤＤユニット４０を、下側ダンパー６１ｂによって載置板５１から若干浮いた状態で保持することで、ＨＤＤユニット４０自体の振動が、ＨＤＤホルダ５０やこのＨＤＤホルダ５０が取り付けられている本体シャーシ１０、ひいてはこの本体シャーシ１０に搭載されているＤＶＤユニット３０やＶＣＲユニット２０に直接伝わらないように工夫されている。
【００１２】
図５に示した形状とは異なるものの、このようにＨＤＤユニットを弾性部材を介してＨＤＤホルダに取り付けるものとして、例えば特許文献１〜３に記載のものがある。特許文献１〜３に記載のものは、いずれもゴム製の弾性部材を介して、板金加工により形成されたＨＤＤホルダにＨＤＤユニットを取り付ける構造となっている。
【特許文献１】特開２００６−０９２７０３号公報
【特許文献２】特開２００３−３１４６１３号公報
【特許文献３】特開２００６−１０７６６１号公報
【発明の開示】
【発明が解決しようとする課題】
【００１３】
ところで、このように上下両ダンパー６１ａ，６１ｂを介してＨＤＤユニット４０をＨＤＤホルダ５０に取り付ける構造のものでは、取り付け時のダンパーの位置決めが重要である。特に、上記構造のものでは、上下両ダンパー６１ａ，６１ｂが固定用のネジ部材６２に予め挿着されていることから、ダンパーの位置がずれるということは、ネジ部材６２のネジ穴に対する位置がずれるということであり、このようなずれた状態でネジ部材６２を無理やりねじ込むと、無理な負荷が上下両ダンパー６１ａ，６１ｂにかかって亀裂が発生する等の破損の原因となる可能性がある。
【００１４】
この場合、ＨＤＤホルダ５０に位置決め用のリブを形成することが考えられるが、従来のＨＤＤホルダ５０は板金加工によって形成されているため、位置決め用のリブを形成するにも、ダンパーが当接する所定の１箇所を切り起こす程度の簡単な形状のリブしか形成できず、これでは高い位置決め精度が得られないといった問題があった。
【００１５】
一方、このようなダンパーの位置決めに関しては、上記特許文献３に記載されている。すなわち、特許文献３では、ダンパーの形状に工夫を凝らしており、ラジアル方向の振動・衝撃を緩和する第１緩衝部、スラスト方向の振動・衝撃を緩和する第２緩衝部、及びＨＤＤユニットの底部に所定の隙間を確保するための受け部からなり、第１緩衝部は、組立て時にフレームに装着する作業を能率的に行えるよう円柱形状または多角柱形状の筒形状緩衝部に形成されたものである。
【００１６】
このような形状のダンパーでは、フレームにダンパーを装着するときの作業性は向上するものの、ＨＤＤユニットをフレームに取り付けるときの位置決めについては何ら考慮されていない。また、ダンパー自体の形状に工夫を凝らせる必要があるため、ダンパーの製造コストが上昇してしまうといった問題もあった。
【００１７】
本発明はかかる問題点を解決すべく創案されたもので、その目的は、ＨＤＤユニットをＨＤＤホルダに取り付けるときの緩衝部材の位置決め、すなわちＨＤＤユニットの位置決めを、緩衝部材に特殊な加工を施すことなく確実に行うことができるとともに、正確な位置決めによって締め付け時に緩衝部材に無理な負荷がかかることのないＨＤＤホルダを提供することにある。
【課題を解決するための手段】
【００１８】
上記課題を解決するため、本発明のＨＤＤホルダは、ＨＤＤユニットを本体シャーシに取り付けるためのＨＤＤホルダであって、前記ＨＤＤホルダの全体が樹脂部材にて形成されているとともに、前記ＨＤＤユニットを緩衝部材を介して載置固定する載置板を備えており、この載置板の前記緩衝部材の取り付け位置に該緩衝部材の外形に合わせた位置決め用リブが形成されていることを特徴としている。この位置決め用リブは、樹脂部材にて前記載置板と一体的に形成されている。すなわち、ＨＤＤホルダ自体の成形時に一度に形成することができるため、複雑な形状のリブでも簡単に形成することが可能となっている。
【００１９】
前記緩衝部材は、前記ＨＤＤユニットを前記載置板に固定するためのネジ部材に挿着されており、前記位置決め用リブは、前記ネジ部材をねじ込むために前記載置板に形成されたネジ穴の周囲に形成されている。具体的には、前記緩衝部材が円筒形状に形成されており、前記位置決め用リブは、前記円筒形状の緩衝部材の外形に合わせて環状に形成されている。
【００２０】
このような形状とすることで、ＨＤＤユニットをＨＤＤホルダに固定する際、緩衝部材を位置決め用リブに嵌め込むだけで、緩衝部材の位置決めとともにＨＤＤユニットの位置決めも行えるため、位置決め作業が簡単なものとなる。また、このように正確に位置決めできることで、ネジ部材を締め付けたときの緩衝部材の破損も防止することが可能となる。
【発明の効果】
【００２１】
本発明によれば、ＨＤＤユニットをＨＤＤホルダに固定する際、緩衝部材を位置決め用リブに嵌め込むだけで、緩衝部材の位置決めとともに、ＨＤＤユニットの位置決めも行えるため、位置決め作業を簡単に行うことができる。また、このように正確に位置決めできることで、ネジ部材を締め付けたときに緩衝部材に無理な負荷がかかることがないので、緩衝部材の亀裂等による破損を防止することができる。
【発明を実施するための最良の形態】
【００２２】
以下、本発明の実施の形態について、図面を参照して説明する。
【００２３】
本実施形態のＨＤＤホルダは、ＨＤＤユニットとＶＣＲユニットとＤＶＤユニットとが本体シャーシ上に搭載された複合型の記録再生装置等に適用されるものであり、本体シャーシに搭載された状態は、図４に示した従来のものと同様である。本実施形態では、このような搭載構造において、ＨＤＤホルダを樹脂部材にて形成している。以下、このＨＤＤホルダについて説明するが、その他の構成部材については、図４に示した従来の構成部材に付与されている符号を用いて説明を行うものとする。
【００２４】
図１は、本実施形態のＨＤＤホルダ７０の構造を示しており、ＨＤＤユニット４０を取り付ける前の状態を示した分解斜視図である。また、図２は、ＨＤＤホルダ７０の平面図、図３は、ＨＤＤユニットとＨＤＤホルダとの取り付け部分を示す拡大断面図である。
【００２５】
このＨＤＤホルダ７０は、上記したようにその全体が樹脂部材によって形成されている。具体的には、耐熱性を有するＡＢＳ樹脂による射出成形によって形成されている。
【００２６】
このＨＤＤホルダ７０は、ＨＤＤユニット４０を載置固定する中央部が開口した平板形状の載置板７１を備えており、この載置板７１の前端部の左右両側に、下方に延設する形で一対の前側脚片７２，７２が形成されている。
【００２７】
この前側脚片７２には、左右両側縁に沿って下方に垂下する補強リブ７２ａが形成されており、下端部には、これら補強リブ７２ａに続く環状リブ７２ｂが形成されている。そして、環状リブ７２ｂ内の底面７２ｃに、本体シャーシ１０の図示しないネジ穴にネジ部材６６をねじ込むためのネジ挿通穴７５が形成されている。すなわち、環状リブ７２ｂは、ネジ部材６６の締め付けによる応力集中を逃がすために設けられている。
【００２８】
また、載置板７１の後端部には上方に起立した背面板７４が形成されており、この背面板７４の左右両側に、下方に延設する形で一対の後側脚片７３，７３が形成されている。この後側脚片７３は、図２に示すように、横方向に開口するような横断面略コ字状に形成されている。このような形状とすることで、脚片としての強度を持たせている。そして、この後側脚片７３の底面７３ａに、本体シャーシ１０の図示しないネジ穴にネジ部材６６をねじ込むためのネジ挿通穴７５が形成されている。すなわち、本実施形態のＨＤＤホルダ７０は、４本の脚片７２，７２，７３，７３によって本体シャーシ１０上に支持固定される構造となっている。なお、載置板７１の周縁部にも、隣接する脚片間を繋ぐようにしてリブ片か形成されおり、載置板７１の強度を保っている。
【００２９】
また、ＨＤＤユニット４０の取付片４１，４１に形成されたネジ嵌合溝部４３，４３，・・・に対向する載置板７１の位置には、それぞれネジ穴７６，７６，・・・が形成されており、各ネジ穴７６，７６，・・・の周囲には、円筒形状に形成された下側ダンパー６１ｂの外形に合わせて環状の位置決め用リブ７７，７７，・・・がそれぞれ形成されている。この位置決め用リブ７７の高さは、下側ダンパー６１ｂの高さより若干低い高さに形成されている。
【００３０】
このように構成されたＨＤＤホルダ７０にＨＤＤユニット４０を取り付ける手順は、上記従来技術の場合と同様であるが、本実施形態では、載置板７１に位置決め用リブ７７が形成されているので、ＨＤＤユニット４０をＨＤＤホルダ７０に位置決めするときの作業性が向上している。
【００３１】
すなわち、上側ダンパー６１ａと下側ダンパー６１ｂとが予め挿着されているネジ部材６２の上下両ダンパー６１ａ，６１ｂの隙間に、ＨＤＤユニット４０の取付板４１のネジ嵌合溝部４３を差し込むようにして、ネジ部材６２をＨＤＤユニット４０の取付板４１に仮装着し、この状態で、ＨＤＤユニット４０をＨＤＤホルダ７０の載置板７１に対向配置する。この際、図３に示すように、ネジ部材６２に仮装着している下側ダンパー６１ｂを、位置決め用リブ７７に嵌め込むことによって、下側ダンパー６１ｂの位置決め、ひいてはＨＤＤユニット４０の位置決めも同時に行うことができる。この後、各ネジ部材６２を対向する各ネジ穴７６にねじ込むことによって、ＨＤＤユニット４０をＨＤＤホルダ７０に取り付けている。
【００３２】
これにより、ＨＤＤユニット４０は、下側ダンパー６１ｂ，６１ｂ，・・・によって載置板７１から若干浮いた状態で、ＨＤＤホルダ７０に保持されることになる。すなわち、ＨＤＤユニット４０は、この４本のネジ部材６２による４点支持のみによってＨＤＤホルダ７０に支持固定されている。このとき、ネジ部材６２は段付きネジを使用することで、ネジ部材６２をネジ穴７６にねじ込んだとき、上下両ダンパー６１ａ，６１ｂが必要以上に圧縮されないようになっている。
【００３３】
そして、このようにＨＤＤユニット４０を保持したＨＤＤホルダ７０を、本体シャーシ１０にネジ部材６６にて固定する。すなわち、前側脚片７２，７２及び後側脚片７３，７３の各底面７２ｃ，７３ａに形成された各ネジ挿通穴７５を、本体シャーシ１０に形成された図示しないネジ穴に対向配置させ、この状態で、上方からこのネジ穴に対してネジ部材６６をねじ込むことにより、本体シャーシ１０にＨＤＤホルダ７０を固定している。
【００３４】
このような構成とすれば、ＨＤＤユニット４０の振動は、ネジ部材６２に挿着されている上下両ダンパー６１ａ，６１ｂによってある程度減衰され、減衰されずにＨＤＤホルダ７０に伝達された振動は、樹脂部材で形成されているＨＤＤホルダ７０の前側脚片７２及び後側脚片７３によってさらに減衰されることになる。すなわち、樹脂自体の持っている柔軟性を利用して振動を減衰することができる。
【００３５】
これにより、ＨＤＤユニット４０の振動は、本体シャーシ１０に伝達される前にほとんど減衰されるため、本体シャーシ１０に搭載されているＶＣＲユニット２０にもほとんど伝わることはない。
【図面の簡単な説明】
【００３６】
【図１】本発明の記録再生装置に搭載されるＨＤＤホルダの構成を示す分解斜視図である。
【図２】ＨＤＤホルダの平面図である。
【図３】ＨＤＤユニットと本発明に係るＨＤＤホルダとの取り付け部分を示す拡大断面図である。
【図４】ＨＤＤユニットとＤＶＤユニットとＶＣＲユニットとが本体シャーシ上に搭載された状態を示す概略斜視図である。
【図５】（ａ）は、本体シャーシに搭載されている従来のＨＤＤホルダの構成を示す分解斜視図、（ｂ）は、ＨＤＤユニットとＨＤＤホルダとの取り付け部分を示す拡大断面図である。
【符号の説明】
【００３７】
１０  本体シャーシ
１１  正面パネル
１２  ディスク挿入口
１３  カセット挿入口
１４  背面板
２０  ＶＣＲユニット
３０  ＤＶＤユニット
４０  ＨＤＤユニット
４１  取付片
４３  ネジ嵌合溝部
５０  ＨＤＤホルダ
５１  載置板
５２，５３  脚片
５２ａ，５３ａ  固定片
５４  背面側固定板
５５  ネジ挿通穴
５６  ネジ穴
６１ａ  上側ダンパー
６１ｂ  下側ダンパー
６２  ネジ部材
６６  ネジ部材
７０  ＨＤＤホルダ
７１  載置板
７２  前側脚片
７２ａ  補強リブ
７２ｂ  環状リブ
７２ｃ  底面
７３  後側脚片
７３ａ  底面
７４  背面板
７５  ネジ挿通穴
７６  ネジ穴
７７  位置決め用リブ
【図１】
2008171468.tif 000003
【図２】
2008171468.tif 000004
【図３】
2008171468.tif 000005
【図４】
2008171468.tif 000006
【図５】
2008171468.tif 000007